(57)【特許請求の範囲】
【請求項１】
番組表の一部の範囲を画面に表示する第１表示処理手段と、
上記番組表から番組が選択された場合に表示すべき、他の番組を宣伝する内容のＷＥＢコンテンツの取得先を示す取得先情報と、該ＷＥＢコンテンツが宣伝する他の番組の識別情報と、が対応付けられた情報を取得する取得手段と、
上記取得先情報が示す取得先から取得した上記ＷＥＢコンテンツを上記画面に表示する第２表示処理手段と、を備え、
第１表示処理手段は、該ＷＥＢコンテンツの表示中の所定の番組表操作をトリガとして、上記識別情報を参照し、該ＷＥＢコンテンツに関連する内容の上記他の番組の番組セルを上記範囲内に含むように上記番組表の表示を更新する、ことを特徴とする表示処理装置。
【請求項２】
第１表示処理手段は、上記範囲内に含まれる上記他の番組の番組セルを指し示す位置に上記番組表から番組を選択するためのカーソルが表示されるように、上記番組表の表示を更新する、ことを特徴とする請求項１に記載の表示処理装置。
【請求項３】
請求項１または２に記載の表示処理装置が備える各手段を備えている、ことを特徴とするテレビジョン受像機。
【請求項４】
番組表を配信する機能を備え、
上記番組表から番組を選択する操作を受け付けた機器によって表示されるべき、他の番組を宣伝する内容のＷＥＢコンテンツに関し、該ＷＥＢコンテンツの取得先を示す取得先情報を配信する第１情報配信手段と、
該ＷＥＢコンテンツが宣伝する他の番組の識別情報を配信する第２情報配信手段と、を備えていることを特徴とする配信装置。
【請求項５】
第１情報配信手段は、上記番組表に関する情報を含むＳＩ／ＥＰＧ情報の一部として上記取得先情報を配信するように構成され、
第２情報配信手段は、上記ＳＩ／ＥＰＧ情報の一部として上記識別情報を配信するように構成されている、ことを特徴とする請求項４に記載の配信装置。
【請求項６】
第１情報配信手段としても第２情報配信手段としても機能する配信処理部を備え、
上記配信処理部は、上記取得先情報と、上記識別情報と、が対応付けられた情報を配信する、ことを特徴とする請求項４に記載の配信装置。
【請求項７】
請求項１または２に記載の表示処理装置と、請求項４〜６の何れか１項に記載の配信装置と、を含んでいる、ことを特徴とするシステム。
【請求項８】
番組表の一部の範囲を画面に表示する第１表示処理ステップと、
上記番組表から番組が選択された場合に表示すべき、他の番組を宣伝する内容のＷＥＢコンテンツの取得先を示す取得先情報と、該ＷＥＢコンテンツが宣伝する他の番組の識別情報と、が対応付けられた情報を取得する取得ステップと、
上記取得先情報が示す取得先から取得した上記ＷＥＢコンテンツを上記画面に表示する第２表示処理ステップと、を含み、
第１表示処理ステップにて、該ＷＥＢコンテンツの表示中の所定の番組表操作をトリガとして、上記識別情報を参照し、該ＷＥＢコンテンツに関連する内容の上記他の番組の番組セルを上記範囲内に含むように上記番組表の表示を更新する、ことを特徴とする表示処理方法。
【請求項９】
番組表を配信する機能を備えた配信装置の配信方法であって、
上記番組表から番組を選択する操作を受け付けた機器によって表示されるべき、他の番組を宣伝する内容のＷＥＢコンテンツに関し、該ＷＥＢコンテンツの取得先を示す取得先情報を配信する第１情報配信ステップと、
該ＷＥＢコンテンツが宣伝する他の番組の識別情報を配信する第２情報配信ステップと、を含んでいることを特徴とする配信方法。
【請求項１０】
請求項１または２に記載の表示処理装置としてコンピュータを機能させるためのプログラムであって、コンピュータを上記各手段として機能させるためのプログラム。
【請求項１１】
請求項１０に記載のプログラムを記録したコンピュータ読み取り可能な記録媒体。
【発明の詳細な説明】
【技術分野】
【０００１】
本発明は、主に、番組表を表示する表示処理装置及び表示処理方法、並びに、番組表を配信する機能を備えた配信装置および配信方法に関する。
【背景技術】
【０００２】
デジタル放送に対応するテレビ受信機は、一般的に、電子番組表（ＥＰＧ：Electrical Programming Guide）を表示する機能を備えている。ユーザは、電子番組表の中から番組を選択することにより、選局を行ったり、視聴予約または録画予約を行ったりすることができる。また、より高精細の表示画面が開発されるのに伴って、電子番組表または番組映像と一緒に付加的な情報を表示する機能を備えた表示装置も提案されている。
【０００３】
例えば、特許文献１及び特許文献２には、テレビに配信する番組表データにＵＲＬ（Uniform Resource Locator）情報を付加することにより、テレビに、番組の映像と一緒に該番組に関連するＷＥＢページを表示させる技術が開示されている。
【０００４】
また、例えば、特許文献３には、番組に関する情報とＷＥＢページのＵＲＬ情報とが関連づけられて格納される記憶手段を備えたＴＶ受像機が開示されている。このＴＶ受像機は、番組表から番組が選択されると、選択された番組に関する情報に関連づけられたＵＲＬ情報に基づいてＷＥＢページを取得し、取得したＷＥＢページを表示する。これにより、このＴＶ受像機は、番組表とユーザが番組表から選択した番組に関連するＷＥＢページとをユーザに同時に視認させることができるようになっている。
【先行技術文献】
【特許文献】
【０００５】
【特許文献１】特開平１０−１７７５３２号公報（１９９８年６月３０日公開）
【特許文献２】特開平１１−２７５５３７号公報（１９９９年１０月８日公開）
【特許文献３】特開２００９−１１２０４９号公報（２００９年５月２１日公開）
【発明の概要】
【発明が解決しようとする課題】
【０００６】
ところで、番組に関連するＷＥＢページとして該番組（例えば、番組Ａ）と何らかの関係のある他の番組（例えば、番組Ａを提供するスポンサーにより提供される番組Ｂ）を宣伝する内容のＷＥＢページを表示させる対価に、放送事業者が通常より高額の広告料をスポンサーから得るビジネスが考えられる。スポンサーは、通常より高額の広告料を放送事業者に払うことにより、番組Ｂの知名度をより高め、ひいては、番組Ｂの放送時間に流れる自社のＣＭをより多くの視聴者に視聴させることができる。
【０００７】
しかしながら、上記従来の技術では、ユーザは、番組Ｂを視聴するには、番組Ｂが放送されるチャンネルおよび時間を調べるために手間をかけなければならない。そして、番組Ｂの視聴を所望するユーザの中には番組Ｂの録画予約または視聴予約を行う者もいると考えられるが、そのようなユーザは、更に、番組表の中から番組Ｂを選択する（即ち、番組表のカーソルを、該カーソルが番組Ｂの番組セルを指し示すように移動させる）、という手間もかけなければならない。
【０００８】
そのため、上記従来の技術を用いて上記ビジネスを行う放送事業者は、番組Ｂに対する関心が「暇つぶしに番組Ｂを視聴してもよい」と思う程度のユーザ（即ち、上述のような手間をかけてまで番組Ｂを視聴したいとは思わないユーザ）の多くには、番組Ｂを視聴させることができない。即ち、スポンサーは、番組Ｂの放送時間に流れる自社のＣＭを十分に多くの視聴者に視聴させることはできない。
【０００９】
本発明は、上記の問題に鑑みてなされたものであり、その主な目的は、番組表から番組を選択した場合に表示されるＷＥＢコンテンツが宣伝する他の番組を、ユーザにあまり手間をかけずに視聴させることが可能な表示処理装置および表示処理方法を実現することにある。また、そのような表示処理装置をそのように機能させるために必要な情報を配信する配信装置および配信方法を実現することも本発明の目的に含まれる。
【課題を解決するための手段】
【００１０】
上記の課題を解決するために、本発明の一態様に係る表示処理装置は、番組表の一部の範囲を画面に表示する第１表示処理手段と、上記番組表から番組が選択された場合に表示すべき、他の番組を宣伝する内容のＷＥＢコンテンツに関し、該ＷＥＢコンテンツの取得先を示す取得先情報と該ＷＥＢコンテンツが宣伝する他の番組の識別情報とを取得する取得手段と、上記取得先情報が示す取得先から取得した上記ＷＥＢコンテンツを上記画面に表示する第２表示処理手段と、を備え、第１表示処理手段は、該ＷＥＢコンテンツの表示中の所定の番組表操作をトリガとして、上記識別情報を参照し、該ＷＥＢコンテンツに関連する内容の上記他の番組の番組セルを上記範囲内に含むように上記番組表の表示を更新する。
【００１１】
上記の課題を解決するために、本発明の一態様に係る表示処理方法は、番組表の一部の範囲を画面に表示する第１表示処理ステップと、上記番組表から番組が選択された場合に表示すべき、他の番組を宣伝する内容のＷＥＢコンテンツに関し、該ＷＥＢコンテンツの取得先を示す取得先情報と該ＷＥＢコンテンツが宣伝する他の番組の識別情報とを取得する取得ステップと、上記取得先情報が示す取得先から取得した上記ＷＥＢコンテンツを上記画面に表示する第２表示処理ステップと、を含み、第１表示処理ステップにて、該ＷＥＢコンテンツの表示中の所定の番組表操作をトリガとして、上記識別情報を参照し、該ＷＥＢコンテンツに関連する内容の上記他の番組の番組セルを上記範囲内に含むように上記番組表の表示を更新する。
【００１２】
上記の課題を解決するために、本発明の一態様に係る配信装置は、番組表の一部の範囲を画面に表示する第１表示処理ステップと、上記番組表から番組が選択された場合に表示すべき、他の番組を宣伝する内容のＷＥＢコンテンツに関し、該ＷＥＢコンテンツの取得先を示す取得先情報と該ＷＥＢコンテンツが宣伝する他の番組の識別情報とを取得する取得ステップと、上記取得先情報が示す取得先から取得した上記ＷＥＢコンテンツを上記画面に表示する第２表示処理ステップと、を含み、第１表示処理ステップにて、該ＷＥＢコンテンツの表示中の所定の番組表操作をトリガとして、上記識別情報を参照し、該ＷＥＢコンテンツに関連する内容の上記他の番組の番組セルを上記範囲内に含むように上記番組表の表示を更新する。
【００１３】
上記の課題を解決するために、本発明の一態様に係る配信方法は、番組表を配信する機能を備えた配信装置の配信方法であって、上記番組表から番組を選択する操作を受け付けた機器によって表示されるべき、他の番組を宣伝する内容のＷＥＢコンテンツに関し、該ＷＥＢコンテンツの取得先を示す取得先情報を配信する第１情報配信ステップと、該ＷＥＢコンテンツが宣伝する他の番組の識別情報を配信する第２情報配信ステップと、を含んでいる。
【発明の効果】
【００１４】
本発明の一態様に係る表示処理装置および表示処理方法は、番組表から番組を選択した場合に表示されるＷＥＢコンテンツが宣伝する他の番組を、ユーザにあまり手間をかけずに視聴させることができる。
【００１５】
また、本発明の一態様に係る配信装置および配信方法は、そのような表示処理装置をそのように機能させるために必要な情報を配信することができる。
【図面の簡単な説明】
【００１６】
【図１】本発明に係る表示処理装置の一実施形態に係るテレビジョン受像機（以下、「テレビ」と略称する）の制御部の機能構成を示すブロック図である。
【図２】本発明の一実施形態に係るテレビの全体的な構成を示すブロック図である。
【図３】本発明の一実施形態に係るテレビと、ＳＩ／ＥＰＧ情報を配信する本発明の一実施形態に係る配信装置と、を含むシステムの構成を示すブロック図である。
【図４】本発明の一実施形態に係る配信装置が生成するＳＩ／ＥＰＧ情報に含まれる特徴的な記述子のデータ構造を例示した図である。
【図５】本発明の一実施形態に係るテレビが生成する番組情報テーブルの一部分を模式的に例示した図である。
【図６】本発明の一実施形態に係るテレビの表示内容を例示した図である。
【図７】本発明の一実施形態に係るテレビの表示内容を例示した別の図である。
【図８】本発明の一実施形態に係るテレビの表示内容を例示した更に別の図である。
【図９】本発明の一実施形態に係るテレビの動作を概略的に示すフローチャートである。
【発明を実施するための形態】
【００１７】
本発明の一実施形態に係るシステムについて図１〜図３を参照して説明する。
【００１８】
図１は、テレビ１０の制御部１１８の構成を主に示すブロック図である。図２は、テレビ１０の構成を示すブロック図である。図３は、テレビ１０と、配信装置２０とを含むシステム１の構成を示すブロック図である。
【００１９】
まず、本実施形態に係るシステム１を構成するテレビ１０について、図１および図２を参照して説明する。なお、本発明に係る表示処理装置の範囲は、テレビ１０には限定されず、外部又は内部の表示画面に番組表を表示する表示機能を有する表示処理装置であってテレビ１０と同様の特徴を有する表示処理装置（例えば、パーソナルコンピュータ、携帯電話、ゲーム機器、カーナビゲーション機器、タブレット端末、スマートフォン等）であってもよい。また、以下の説明において、「番組表」は、放送チャンネルを示す軸と、放送時刻を示す軸とによって張られる平面に番組セルが配置される一般的な電子番組表であるが、これは本発明を限定するものではない。すなわち、複数の番組の中から何れかの番組を選択することが可能な番組表であればよく、番組表の構成は上記の構成に限定されるものではない。
【００２０】
また、本明細書において、番組表における番組を選択するとは、当該番組の番組セルを指し示すようにカーソル（カーソルＣ１）を移動させることを指す。本明細書における「選択する」との文言は、他の文献において、「フォーカスする」と表現されることもある。
【００２１】
（テレビ１０の概要）
テレビ１０は、番組表から番組が選択された場合に、番組表の隣に、その番組を提供するスポンサーにより提供される他の番組を宣伝する内容のＷＥＢページを表示するようになっている。
【００２２】
また、テレビ１０は、ＷＥＢページの表示中に所定の番組表操作を受け付けると、該他の番組の番組セルを指し示すようにカーソルＣ１を移動させるようになっている。
【００２３】
（テレビ１０の構成）
まず、テレビ（表示処理装置）１０の構成について、図２を参照して説明する。図２は、テレビ１０の構成を示すブロック図である。
【００２４】
テレビ１０は、図２に示すように、外部入力端子１０１、地上デジタル放送チューナ１０２、衛星放送チューナ１０３、録画再生部１０４、ＢＤドライブ１０５、映像セレクタ１０６、映像処理回路１０７、ＯＳＤ（On-Screen Display）生成部１０８、ＬＣＤ（Liquid Crystal Display）コントローラ１０９、ＬＣＤ１１０、音声セレクタ１１１、音声処理回路１１２、アンプ１１３、スピーカ１１４、通信部１１５、ＲＯＭ１１６、ＲＡＭ１１７、制御部１１８、赤外線受光部１１９、カメラ１２０、および、ＨＤドライブ１２１を備えている。図２においては、映像信号の経路を実線で、音声信号の経路を１点鎖線で、データや制御信号の経路（バス）を太線で示している。
【００２５】
外部入力端子１０１は、映像入力端子１０１ａと音声入力端子１０１ｂとを含む。映像入力端子１０１ａは、映像信号を入力するためのものであり、例えば、ＤＶＩ端子である。音声入力端子１０１ｂは、音声信号を入力するためのものであり、例えば、Ｓ／ＰＤＩＦ端子である。ただし、外部入力端子１０１は、これに限定されず、映像入力端子１０１ａと音声入力端子１０１ｂとが一体化されたＨＤＭＩ（High-Definition Multimedia Interface、登録商標）端子などであってもよい。
【００２６】
地上デジタル放送チューナ１０２は、地上デジタル放送により放送される放送番組を受信するためのチューナである。地上デジタル放送チューナ１０２は、放送番組の映像ＥＳや音声ＥＳ等のＥＳに加え、ＳＩ／ＥＰＧ情報を受信する。ＳＩ／ＥＰＧ情報に含まれるイベント情報テーブル（ＥＩＴ：Event Information Table）には、放送番組の情報を示す番組情報が含まれている。なお、「番組情報」には、例えば、該放送番組を示すイベントＩＤ（EventID）、該放送番組が放送されるチャンネルを示すサービスＩＤ（ServiceID）、番組名、放送開始日時（start_time）、放送時間の長さ（duration）、出演者名、及び、該放送番組に関する説明などが含まれる。
【００２７】
なお、次世代の超高精細度テレビジョン放送においては、ＭＨ−ＥＩＴ(MPEG-H Event Information Table)と呼ばれるＥＩＴが用いられる。本明細書中における「ＥＩＴ」の概念には、「現行放送のＥＩＴ」及び「ＭＨ−ＥＩＴ」の双方が含まれるものとする。
【００２８】
地上デジタル放送チューナ１０２は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号および音声信号を復号する復号部により構成することができる。
【００２９】
地上デジタル放送チューナ１０２により受信されたＥＩＴは、制御部１１８に供給される。また、地上デジタル放送チューナ１０２により復調されたＭＰＥＧ２ストリームは、バスを介して録画再生部１０４に供給される。さらに、地上デジタル放送チューナ１０２により復号された映像信号および音声信号は、それぞれ、映像セレクタ１０６および音声セレクタ１１１に供給される。なお、地上デジタル放送チューナ１０２が何れのチャンネルを復調対象として選択するかは、制御部１１８により制御される。
【００３０】
衛星放送チューナ１０３は、衛星放送により放送される放送番組及びＥＩＴを受信するためのチューナである。衛星放送チューナ１０３は、地上デジタル放送チューナ１０２と同様に、番組情報を取得するための取得手段としても機能する。衛星放送チューナ１０３は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号を復号する復号部により構成することができる。
【００３１】
衛星放送チューナ１０３により受信されたＥＩＴは、制御部１１８に供給される。また、衛星放送チューナ１０３により復調されたＭＰＥＧ２ストリームは、録画再生部１０４に供給される。さらに、衛星放送チューナ１０３により復号された映像信号および音声信号は、それぞれ、映像セレクタ１０６および音声セレクタ１１１に供給さる。なお、衛星放送チューナ１０３が何れのチャンネルを介して伝送されるＭＰＥＧ２データストリームを復調するかは、制御部１１８により選択される。
【００３２】
録画再生部１０４は、録画部１０４ａと再生部１０４ｂとを含む。録画部１０４ａは、地上デジタル放送チューナ１０２および衛星放送チューナ１０３の何れかからＭＰＥＧ２ストリームを取得し、取得したＭＰＥＧ２ストリームを記録装置に書き込む。録画部１０４ａは、テレビ１０に内蔵されたＢＤドライブ１０５、テレビ１０に内蔵されたＨＤドライブ１２１、および、ＵＳＢ（Universal Serial Bus）インターフェース（不図示）に接続されたＨＤドライブ（不図示）を、ＭＰＥＧ２ストリームを記録するための記録装置として利用することができる。再生部１０４ｂは、記録装置からＭＰＥＧ２ストリームを読み出し、読み出したＭＰＥＧ２ストリームから映像信号および音声信号を復号する。再生部１０４ｂにより復号された映像信号および音声信号は、それぞれ、映像セレクタ１０６および音声セレクタ１１１に供給される。
【００３３】
映像セレクタ１０６には、上述した４種類の映像信号が供給される。すなわち、（１）外部入力端子１０１（特に映像入力端子１０１ａ）から入力された映像信号、（２）地上デジタル放送チューナ１０２にて復号された映像信号、（３）衛星放送チューナ１０３にて復号された映像信号、および、（４）録画再生部１０４（特に再生部１０４ｂ）にて復号された映像信号が入力される。映像セレクタ１０６は、上記（１）〜（４）の映像信号のうちの何れか１つを選択する。映像セレクタ１０６によって選択された映像信号は、映像処理回路１０７に供給される。なお、映像セレクタ１０６が何れの映像信号を選択するかは、制御部１１８によって制御される。
【００３４】
映像処理回路１０７は、映像セレクタ１０６から供給された映像信号に画質調整処理を施す。また、映像処理回路１０７は、映像セレクタ１０６から供給された映像信号にスケーリング処理を施す。ここで、画質調整処理とは、例えば、映像信号を加工することによって、その映像信号が表す映像の輝度、シャープネス、および、コントラストの少なくとも何れかを変更することを指す。また、スケーリング処理とは、映像信号を加工することによって、その映像信号が表す映像のサイズを相似拡大または相似縮小することを指す。映像処理回路１０７によって加工された映像信号は、ＬＣＤコントローラ１０９に供給される。なお、映像処理回路１０７が画質およびサイズをどのように変更するかは、制御部１１８によって制御される。
【００３５】
ＯＳＤ生成部１０８は、制御部１１８から供給されたＯＳＤデータからＯＳＤ画像を生成（レンダリング）する。ＯＳＤ生成部１０８が生成するＯＳＤ画像としては、電子番組表などが挙げられる。ＯＳＤデータとしては、例えば、ＳＶＧ（Scalable Vector Graphics）を用いることができる。ＯＳＤ生成部１０８により生成されたＯＳＤ画像は、映像処理回路１０７から供給された映像信号に重畳され、ＬＣＤコントローラ１０９に供給される。
【００３６】
ＬＣＤコントローラ１０９は、映像処理回路１０７から供給された映像信号に基づいて、その映像信号が表す映像を表示するようにＬＣＤ１１０を駆動する表示手段として機能する。また、ＯＳＤ生成部１０８からＯＳＤ画像が供給されている場合、ＬＣＤコントローラ１０９は、映像処理回路１０７から供給された映像信号にＯＳＤ画像が重畳されたものに基づいて、その映像信号が表す映像を表示するようにＬＣＤ１１０を駆動する表示手段として機能する。
【００３７】
音声セレクタ１１１には、上述した４種類の音声信号が供給される。すなわち、（１）外部入力端子１０１（特に音声入力端子１０１ｂ）から入力された音声信号、（２）地上デジタル放送チューナ１０２にて復号された音声信号、（３）衛星放送チューナ１０３にて復号された音声信号、および、（４）録画再生部１０４（特に再生部１０４ｂ）にて復号された音声信号が入力される。音声セレクタ１１１は、上記（１）〜（４）の音声信号のうちの何れか１つを選択する。
【００３８】
音声セレクタ１１１によって選択された音声信号は、音声処理回路１１２に供給される。なお、音声セレクタ１１１が何れの音声信号を選択するかは、制御部１１８によって制御される。ただし、映像セレクタ１０６における映像の選択と、音声セレクタ１１１における音声の選択とは連動しており、例えば、映像セレクタ１０６が地上デジタル放送チューナ１０２から供給された映像信号を選択しているときには、音声セレクタ１１１も地上デジタル放送チューナ１０２から供給された音声信号を選択する。
【００３９】
音声処理回路１１２は、音声セレクタ１１１から供給された音声信号に音量調整処理を施す。また、音声処理回路１１２は、音声セレクタ１１１から供給された音声信号に音質調整処理を施す。ここで、音量調整処理とは、音声信号を加工することによって、その音声信号が表す音声の音量を変更することを指す。また、音質調整処理とは、音声信号を加工することによって、その音声信号が表す音声の周波数特性を変更すること（例えば、低域の強調や高域の強調など）を指す。音声処理回路１１２によって加工された音声信号は、アンプ１１３に供給される。なお、音声処理回路１１２によって音量および音質をどのように変更するかは、制御部１１８によって制御される。
【００４０】
アンプ１１３は、音声処理回路１１２から供給された音声信号に基づいて、その音声信号が表す音声を出力するようにスピーカ１１４を駆動する。
【００４１】
制御部１１８は、赤外線受光部１１９が受信したリモコン信号、および、カメラ１２０が撮像した画像に応じて上記各部を制御する。赤外線受光部１１９を用いた制御としては、例えば、リモコン信号に応じて番組表を表示する制御や、番組表を表示している状態において、当該番組表において選択される番組をリモコン信号に応じて切り替える制御などが挙げられる。また、赤外線受光部１１９を用いた制御の他の例としては、地上デジタル放送チューナ１０２および衛星放送チューナ１０３の受信チャンネルをリモコン信号に応じて切り替える制御や、映像セレクタ１０６および音声セレクタ１１１にて選択する映像信号および音声信号をリモコン信号に応じて切り替える制御などが挙げられる。また、カメラ１２０を用いた制御としては、例えば、映像処理回路１０７にて画質をどのように調整するかを、撮像した画像に基づいて特定した視聴者に応じて切り替える制御などが挙げられる。
【００４２】
ＲＯＭ１１６は、制御部１１８によって実行されるプログラムなどの固定データが格納されるメモリであって、電源を落としても内容が消去されない不揮発なメモリである。一方、ＲＡＭ１１７は、制御部１１８が演算のために参照するデータや、制御部１１８が演算によって生成したデータなどの可変データが格納される、読み出し可能かつ書き込み可能なメモリである。
【００４３】
通信部１１５は、インターネットなどのネットワーク３０をテレビ１０に接続するためのインターフェースである。通信部１１５としては、例えば、インターネットに接続可能なイーサーネット（登録商標）インターフェースを挙げることができるが、これに限定されるものではない。
【００４４】
テレビ１０は、通信部１１５以外にも、外部機器を接続可能なインターフェースを備えていてもよい。外部機器を接続可能なインターフェースとしては、例えば、ＵＳＢ機器をテレビ１０に接続可能なＵＳＢインターフェースを挙げることができる。テレビ１０に接続可能なＵＳＢ機器としては、ＨＤ（ハードディスク）ドライブなどの記録装置が代表的である。
【００４５】
なお、テレビ１０の備える、外部機器を接続するためのインターフェースは、ＵＳＢインターフェースに限定されない。すなわち、ＵＳＢインターフェースは、例えば、ＡＴＡ（Advanced Technology Attachment）、ＡＴＡＰＩ（ATA Packet Interface）、ＩＥＥＥ１３９４、ＨＤＭＩ、および、ＬＡＮなどの有線接続用インターフェース、あるいは、ＩＥＥＥ８０２１１などの無線接続用インターフェースに置換することが可能である。さらに、ＳＤカードが接続されている場合には、このＳＤカードを外部機器として利用してもよい。
【００４６】
また、本実施形態においては、地上デジタル放送の方式として、ＭＰＥＧ２ストリームを多重化する方式（米国におけるＡＴＳＣ方式や日本におけるＩＳＤＢ−Ｔ方式など）を想定しているが、本発明はこれに限定されるものではない。すなわち、例えば、ＭＰＥＧ２ストリームを多重化する代わりに、ＭＰＥＧ４ストリーム等を多重化する方式（欧州におけるＤＶＢ−Ｔ／ＤＶＢ−Ｔ２方式など）に対しても本発明を適用することができる。後者の場合、復調したＭＰＥＧ４ストリームをそのまま記録媒体に記録する構成を採用してもよいし、あるいは、復調したＭＰＥＧ４ストリームをＭＰＥＧ２ストリームに変換して記録媒体に記録する構成を採用してもよい。
【００４７】
（制御部１１８の構成）
次に、制御部１１８の機能構成について図１を参照して説明する。図１は、制御部１１８の機能構成を示すブロック図である。
【００４８】
図１に示すように、制御部１１８は、情報取得部（取得手段）１１、コンテンツ取得部１２、及び表示処理部（第１表示処理手段および第２表示処理手段）１３として機能するように構成されている。
【００４９】
情報取得部１１は、番組表から番組が選択された場合に表示すべきＷＥＢページ（具体的には、該番組のスポンサーにより提供される関連番組（番組表に載っている他の番組）を宣伝するＷＥＢページ）の取得先を示すＵＲＬ情報と、該関連番組を識別するための関連番組情報とを取得する。具体的には、情報取得部１１は、地上デジタル放送チューナ１０２または衛星放送チューナ１０３から、上記ＵＲＬ情報（取得先情報）および上記関連番組情報（識別情報）を含むＥＩＴを受信することにより、上記ＵＲＬ情報及び上記関連番組情報を取得する。
【００５０】
情報取得部１１は、ＥＩＴを構文解析し、番組表内の番組毎のレコード（対象の番組に関する番組情報を含むレコードであって、存在する場合には更に上記ＵＲＬ情報と上記関連番組情報とを含むレコード）から構成される番組情報テーブルを生成し、ＲＡＭ１１７に格納しておく。
【００５１】
コンテンツ取得部１２は、番組表の中から番組が選択された場合に、番組情報テーブルの対象レコード（選択された番組に関するレコード）を参照し、対象レコード内のＵＲＬ情報を参照し、通信部１１５を介してＷＥＢページのデータ（例えば、ＨＴＭＬデータ）を取得する。コンテンツ取得部１２は、取得したデータを表示処理部１３に供給する。
【００５２】
表示処理部１３は、ＬＣＤ１１０に番組表が表示されていない時に赤外線受光部１１９が「番組表」ボタンに対応するリモコン信号を受信すると、番組表の一部の範囲を示す番組表画面のＯＳＤデータを生成し、生成したＯＳＤデータをＯＳＤ生成部１０８に供給する。即ち、表示処理部１３は、ＯＳＤ生成部１０８を介して、番組表の一部の範囲をＬＣＤ１１０に表示する。
【００５３】
また、表示処理部１３は、コンテンツ取得部１２からＷＥＢページのデータが供給されると、番組表の隣にＷＥＢページが配置されているような番組表画面を示すＯＳＤデータを生成し、生成したＯＳＤデータをＯＳＤ生成部１０８に供給する。即ち、表示処理部１３は、ＯＳＤ生成部１０８を介して、該ＷＥＢページを新たに表示する。なお、この番組表画面には、アクティブな領域を、番組表表示用の領域およびＷＥＢページ表示用の領域のうちの一方の領域から他方の領域に切り替えるためのカーソル（カーソルＣ２）が設けられている。
【００５４】
表示処理部１３は、ＷＥＢページの領域がアクティブな領域になっている時に赤外線受光部１１９が「決定」ボタンに対応するリモコン信号を受信すると、対象レコード（選択されている番組に関するレコード）の関連番組情報を参照し、番組を選択するためのカーソルＣ１が関連番組の番組セルを指し示すように、カーソルＣ１を移動させる。即ち、表示処理部１３は、赤外線受光部１１９が該リモコン信号を受信した時に関連番組の番組セルが表示範囲に含まれていない場合には、関連番組の番組セルが表示範囲に含まれる（該番組セルがカーソルＣ１によって指し示された状態で表示される）ように、番組表の表示を更新する。
【００５５】
（配信装置２０の構成）
続いて、本実施形態に係るシステムを構成する配信装置２０について図３を参照して説明する。図３は、テレビ１０と配信装置２０とを含むシステム１の構成を示すブロック図である。
【００５６】
図３に示すように、配信装置２０は、ＡＶエンコーダ２０１、ＳＩ／ＥＰＧ生成部２０２、多重化処理部２０３、暗号化処理部２０４、変調処理部２０５、及び送信部２０６を備えている。
【００５７】
ＡＶエンコーダ２０１は、放送番組の映像信号及び音声信号を圧縮する。ＡＶエンコーダ２０１により映像信号を圧縮する方式としては、ＭＰＥＧ２が用いられる。また、ＡＶエンコーダ２０１により音声信号を圧縮する方式としては、ＡＡＣが用いられる。ＡＶエンコーダ２０１により圧縮された映像信号及び音声信号は、多重化処理部２０３に供給される。
【００５８】
ＳＩ／ＥＰＧ生成部２０２は、ＳＩ／ＥＰＧ情報を生成する。ＳＩ／ＥＰＧ情報には、番組表に含まれる各番組について、前述の番組情報が含まれている。また、ＳＩ／ＥＰＧ情報には、番組表に含まれる全部または一部の番組の各々について、前述のＵＲＬ情報及び関連番組情報が含まれている。ＳＩ／ＥＰＧ生成部２０２は、生成したＳＩ／ＥＰＧ情報を多重化処理部２０３に供給する。
【００５９】
多重化処理部２０３は、ＡＶエンコーダ２０１から供給された映像信号及び音声信号と、ＳＩ／ＥＰＧ生成部２０２から供給された制御情報及びＥＩＴとを多重化してＭＰＥＧ２ストリームを生成する。多重化処理部２０３により生成されたＭＰＥＧ２ストリームは、暗号化処理部２０４に供給される。なお、多重化処理部２０３において、データ放送、文字スーパー、及び字幕等に関するデータをさらに多重化する構成としてもよい。
【００６０】
暗号化処理部２０４は、多重化処理部２０３から供給されたＭＰＥＧ２ストリームを暗号化する。暗号化処理部２０４による暗号化のアルゴリズムとしては、Ｍｕｌｔｉ２が用いられる。暗号化処理部２０４により暗号化されたＭＰＥＧ２ストリームは、変調処理部２０５に供給される。
【００６１】
変調処理部２０５は、暗号化処理部２０４から供給されたＭＰＥＧ２ストリームであって、暗号化されたＭＰＥＧ２ストリームを変調し、放送信号を生成する。変調処理部２０５による変調方式として、地上デジタル放送においてはＯＦＤＭが用いられ、衛星放送においては８ＰＳＫが用いられる。変調処理部２０５により生成された放送信号は、送信部２０６に供給される。なお、この放送信号には、番組情報、ＵＲＬ情報及び関連番組情報が含まれている。すなわち、変調処理部２０５は、送信部２０６を介して、ＵＲＬ情報及び関連番組情報を配信する配信手段として機能する。
【００６２】
送信部２０６は、変調処理部２０５から供給された放送信号を送信する送信装置である。
【００６３】
（ＵＲＬ情報及び関連番組情報の詳細について）
次に、ＳＩ／ＥＰＧ生成部２０２が生成するＳＩ／ＥＰＧ情報に含まれるＵＲＬ情報及び関連番組情報の詳細について、図４を参照して説明する。
【００６４】
図４は、本実施形態における特徴的な記述子（関連番組情報記述子）のデータ構造を示す図である。
【００６５】
ＳＩ／ＥＰＧ情報には、番組表内の番組毎に、図４のデータ構造を持つ関連番組情報記述子が含まれている。また、図４に示すように、関連番組情報記述子には、以下の（１）〜（５）に示す情報と、関連番組情報を構成する以下の（６）〜（１１）に示す情報と、が記述されている。
【００６６】
（１）descriptor_tag：複数の記述子を識別するための８ビットの情報である。
【００６７】
（２）descriptor_length：記述子のデータ部分の全バイト長を規定するための８ビットの情報である。
【００６８】
（３）URL_length:対象の番組が番組表から選択された場合に表示すべきＷＥＢページの取得先を示すＵＲＬの長さを示す８ビットの情報であり、（４）に示す情報と共にＵＲＬ情報を構成する。
【００６９】
（４）URL_byte:ＵＲＬを構成する各文字を示す８ビットの情報であり、（３）に示す情報と共にＵＲＬ情報を構成する。
【００７０】
（５）number_of_relation_event：該ＷＥＢページに関連する関連番組の数を示す８ビットのフィールドである。本実施形態では、number_of_relation_eventの値は必ず“１”である。
【００７１】
（６）original_network_id：ネットワーク固有の識別子を示す１６ビットの情報である。
【００７２】
（７）transport_stream_id：オリジナルネットワークのトランスポートストリームの固有の識別子を示す１６ビットの情報である。
【００７３】
（８）service_id：関連番組が放送されるチャンネルの識別子を示す１６ビットの情報である。
【００７４】
（９）event_id：番組表を構成する番組群の中から関連番組を識別するための識別子を示す１６ビットの情報である。
【００７５】
（１０）start_time：関連番組の放送開始日時を示す４０ビットの情報である。
【００７６】
（１１）duration：関連番組の長さを示す２４ビットの情報である。
【００７７】
なお、図４におけるＮは、番組表から対象の番組が選択された場合に表示されるべきＷＥＢページの数を示している。本実施形態では、基本的に、関連番組情報記述子におけるＮは“１”であるが、関連番組情報記述子におけるＮが“０”になるような番組も存在し得る。
【００７８】
即ち、ＳＩ／ＥＰＧ生成部２０２は、番組表に含まれる全部または一部の番組の各々について、ＵＲＬ情報と関連番組情報とのペアを含むような関連番組情報記述子を生成し、各番組の番組情報と各番組の関連番組情報記述子とをＥＩＴに含むようなＳＩ／ＥＰＧ情報を生成する。
【００７９】
なお、情報取得部１１は、このＳＩ／ＥＰＧ情報を参照することにより、前述の番組情報テーブルを生成する。図５は、テレビ１０（情報取得部１１）が生成する番組情報テーブルの一部分を模式的に例示した図である。図５に示すように、番組情報テーブルには、番組情報、該番組情報が示す番組が番組表から選択された場合に表示されるＷＥＢページ（関連番組を宣伝するためのＷＥＢページ）のＵＲＬ情報、及び、関連番組情報が含まれる。
【００８０】
（テレビ１０の動作）
次に、番組表を表示させる操作信号を受信してから番組表の表示を終了するまでのテレビ１０の動作の概略について図６〜図９を参照して説明する。図６〜図８は、該動作中におけるテレビ１０の表示内容を例示した図である。図９はテレビ１０の該動作を概略的に示すフローチャートである。
【００８１】
（ステップＳ１０１）
赤外線受光部１１９が番組表を表示する操作指示を示すリモコン信号を受信すると、表示処理部１３は、番組表の一部の範囲を示すＯＳＤデータを生成し、ＯＳＤ生成部１０８を介して、表示画面の左半分を占めるように番組表を表示する。表示処理部１３は、Ｓ１０１の後、Ｓ１０２に進む。
【００８２】
（ステップＳ１０２）
続いて、表示処理部１３は、番組情報テーブルの該当レコード（カーソルＣ１が指し示している番組のレコード）にＵＲＬ情報が含まれているか否かを判定する。
【００８３】
表示処理部１３は、該当レコードにＵＲＬ情報が含まれていると判定した場合にはＳ１０３に進み、該当レコードにＵＲＬ情報が含まれていないと判定した場合にはＳ１１０に進む。
【００８４】
（ステップＳ１０３）
表示処理部１３は、コンテンツ取得部１２に対し、番組情報テーブルの該当レコードのＵＲＬ情報に基づきＷＥＢページのデータを取得するように指示する。コンテンツ取得部１２は、指示に従ってＷＥＢページのデータを取得し、取得したデータを表示処理部１３に供給する。
【００８５】
データを受け取った表示処理部１３は、ＯＳＤ生成部１０８を介して、表示画面の右半分を占めるようにＷＥＢページを表示する。カーソルＣ１が指し示している番組が番組１０である場合、表示処理部１３は、例えば図６に示すように、番組１０を提供するスポンサーによって提供される関連番組５９を宣伝するためのＷＥＢページを表示する。
【００８６】
（ステップＳ１０４）
表示処理部１３は、カーソルＣ２を移動させる操作指示をテレビ１０が受け付けたか否かを判定する。表示処理部１３は、該操作指示をテレビ１０が受け付けたと判定した場合にはＳ１０５に進み、該操作指示をテレビ１０が受け付けていないと判定した場合にはＳ１０６に進む。
【００８７】
（ステップＳ１０５）
表示処理部１３は、番組表表示用の領域およびＷＥＢページ表示用の領域のうちの一方の領域を指し示しているカーソルＣ２を、他方の領域を指し示すように移動させる。
【００８８】
例えば、図６に示すようにカーソルＣ２が番組表表示用の領域を指し示している場合、表示処理部１３は、カーソルＣ２を、ＷＥＢページ表示用の領域を指し示すように移動させる。その結果、テレビ１０の表示画面は、図７に示すような状態になる。
【００８９】
そして、制御部１１８は、移動後のカーソルＣ２が指し示す領域をアクティブにする。
【００９０】
テレビ１０は、Ｓ１０５の後、Ｓ１０４に戻る。
【００９１】
（ステップＳ１０６）
表示処理部１３は、赤外線受光部１１９が「決定キー」の押下を示す操作信号を受け付けたか否かを判定する。表示処理部１３は、該操作信号を赤外線受光部１１９が受け付けたと判定した場合にはＳ１０７に進み、該操作信号を赤外線受光部１１９が受け付けていないと判定した場合にはＳ１１０に進む。
【００９２】
（ステップＳ１０７）
表示処理部１３は、ＷＥＢページ表示用の領域がアクティブになっているか否かを判定する。表示処理部１３は、ＷＥＢページ表示用の領域がアクティブになっていると判定した場合にはＳ１０８に進み、ＷＥＢページ表示用の領域がアクティブになっていない（即ち、番組表表示用の領域がアクティブになっている）と判定した場合にはＳ１０４に戻る。
【００９３】
なお、図９に示してはいないが、後者の場合、制御部１１８は、カーソルＣ１が指し示している番組の録画予約処理を行った上でＳ１０４に戻ることになる。
【００９４】
（ステップＳ１０８）
表示処理部１３は、該当レコードの関連番組情報を参照し、カーソルＣ１が関連番組の番組セルを指し示す位置に表示されるように、番組表の表示を更新する。
【００９５】
即ち、Ｓ１０８の直前において番組表表示用の領域に表示されている「番組表の一部の範囲」に関連番組の番組セルが含まれていない場合には、関連番組の番組セルが番組表表示用の領域に表示されるように番組表の表示を更新する。その結果、Ｓ１０８の後に番組表表示用の領域に表示される「番組表の一部の範囲」には、関連番組（例えば、関連番組５９）の番組セルが含まれることになる。
【００９６】
表示処理部１３は、Ｓ１０８の後、Ｓ１０９に進む。
【００９７】
（ステップＳ１０９）
表示処理部１３は、ＷＥＢページ表示用の領域を指し示しているカーソルＣ２を、番組表表示用の領域を指し示すように移動させる。
【００９８】
そして、制御部１１８は、番組表表示用の領域をアクティブにする。
【００９９】
テレビ１０は、Ｓ１０９の後、Ｓ１０２に戻る。
【０１００】
（ステップＳ１１０）
表示処理部１３は、カーソルＣ１を移動させる操作指示をテレビ１０が受け付けたか否かを判定する。表示処理部１３は、該操作指示をテレビ１０が受け付けたと判定した場合にはＳ１０２に戻り、該操作指示をテレビ１０が受け付けていないと判定した場合にはＳ１１１に進む。
【０１０１】
（ステップＳ１１１）
表示処理部１３は、番組表の表示を終了させる操作指示をテレビ１０が受け付けたか否かを判定する。表示処理部１３は、該操作指示をテレビ１０が受け付けていないと判定した場合にはＳ１０４に戻り、該操作指示をテレビ１０が受け付けたと判定した場合には図９のフローチャートに従った動作を終了する。
【０１０２】
以上の動作の説明からわかるように、テレビ１０のユーザは、テレビ１０に表示されている番組表画面が図７に示すような状態になっている時に「決定」ボタンを押した場合、番組表画面が図８に示すように更新されるのを視認することになる。
【０１０３】
そして、ユーザは、番組表画面が図８に示すように更新された後に単に「決定」ボタンを押下するだけで、関連番組５９の録画予約を行うことができる。
【０１０４】
（付記事項１）
前述の番組１０と関連番組５９とは、同一シリーズに属するシリーズ物の番組であってもよい。例えば、番組１０はある連続ドラマの第Ｐ話であり、番組５９は、その連続ドラマの第Ｑ話（Ｑ＞Ｐ）であってもよい。
【０１０５】
（付記事項２）
制御部１１８は、番組表表示用の領域がアクティブになっている時に赤外線受光部１１９が「決定キー」の押下を示す操作信号を受け付けた場合、カーソルＣ１が指し示している番組の録画予約処理ではなく、当該番組の視聴予約処理を行ってもよい。
【０１０６】
（付記事項３）
上記実施形態では、ＷＥＢコンテンツの一例としてＷＥＢページを挙げたが、ＷＥＢコンテンツは、ネットワーク（インターネット等）を通じて配信される動画コンテンツであってもよい。
【０１０７】
（付記事項４）
テレビ１０は、４Ｋ×２Ｋ表示または８Ｋ×４Ｋ表示に対応した超高精細型テレビであることが望ましいが、本発明に係る表示処理装置は、そのような超高精細型テレビには限定されない。
【０１０８】
（テレビ１０の利点）
以上の説明から以下のことが言える。
【０１０９】
即ち、テレビ１０は、情報取得部１１と表示処理部１３とを備えている。
【０１１０】
表示処理部１３（第１表示処理手段）は、番組表の一部の範囲をＬＣＤ１１０に表示する。
【０１１１】
情報取得部１１（取得手段）は、上記番組表から番組が選択された場合に表示すべき「関連番組（他の番組）を宣伝するためのＷＥＢページ」の取得先を示すＵＲＬ情報（取得先情報）と該ＷＥＢページが宣伝する該関連番組を識別する関連番組情報（該関連番組の識別情報）とを取得する。
【０１１２】
表示処理部１３（第２表示処理手段）は、ＵＲＬ情報が示す取得先から取得したＷＥＢページをＬＣＤ１１０に表示する。
【０１１３】
表示処理部１３（第１表示処理手段）は、第ＷＥＢページの表示中の「決定」ボタンの押下（所定の番組表操作）をトリガとして、上記関連番組情報を参照し、該ＷＥＢページに関連する内容の上記関連番組の番組セルを上記範囲内に含むように上記番組表の表示を更新する。具体的には、表示処理部１３は、カーソルＣ１が関連番組の番組セルを指し示す位置に表示されるように、番組表の表示を更新する。
【０１１４】
上記の構成によれば、番組表から番組を選択することによりその番組に関連する関連番組の存在を知ったユーザは、所定の番組表操作を行うだけで、関連番組の番組セルを指し示す位置にカーソルＣ１を移動させることができる。
【０１１５】
即ち、ユーザは、関連番組の録画予約を行うために、関連番組の放送開始時刻および関連番組が放送されるチャンネルを調べたり、関連番組の番組セルを指し示す位置にカーソルＣ１を移動させるためにリモコンの「移動」ボタンを何度も押下したりする必要がない。
【０１１６】
従って、テレビ１０は、番組表から番組を選択した場合に表示されるＷＥＢページが宣伝する他の番組を、ユーザにあまり手間をかけずに視聴させることができる、という効果を奏する。
【０１１７】
（配信装置２０の利点）
以上の説明から以下のことが言える。
【０１１８】
即ち、配信装置２０は、番組表を配信する機能を備えている。また、配信装置２０は、変調処理部２０５を備えている。
【０１１９】
変調処理部２０５（第１配信手段、第２配信手段）は、上記番組表から番組を選択する操作を受け付けたテレビ１０によって表示されるべき、関連番組（他の番組）を宣伝する内容のＷＥＢページに関し、該ＷＥＢコンテンツの取得先を示すＵＲＬ情報（取得先情報）と、該ＷＥＢページが宣伝する関連番組（他の番組）を識別する関連番組情報（該関連番組の識別情報）と、を送信する。
【０１２０】
また、テレビ１０の動作の説明からわかるように、取得先情報および関連番組情報は、上記の効果を奏するようにテレビ１０を機能させるために必要な情報である。
【０１２１】
従って、配信装置２０は、上記の効果を奏するようにテレビ１０を機能させるために必要な情報を配信することができる、という効果を奏する。
【０１２２】
〔ソフトウェアによる実現例〕
テレビ１０の制御ブロック（特に情報取得部１１、コンテンツ取得部１２、および表示処理部１３）は、集積回路（ＩＣチップ）等に形成された論理回路（ハードウェア）によって実現してもよいし、ＣＰＵ（Central Processing Unit）を用いてソフトウェアによって実現してもよい。
【０１２３】
後者の場合、テレビ１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１２４】
〔まとめ〕
本発明の態様１に係る表示処理装置（例えば、テレビ１０）は、番組表の一部の範囲を画面に表示する第１表示処理手段（例えば、表示処理部１３）と、上記番組表から番組が選択された場合に表示すべき、他の番組を宣伝する内容のＷＥＢコンテンツ（例えば、ＷＥＢページ）に関し、該ＷＥＢコンテンツの取得先を示す取得先情報（例えば、ＵＲＬ情報）と該ＷＥＢコンテンツが宣伝する他の番組の識別情報（例えば、関連番組情報）とを取得する取得手段（例えば、情報取得部１１）と、上記取得先情報が示す取得先から取得した上記ＷＥＢコンテンツを上記画面に表示する第２表示処理手段（例えば、表示処理部１３）と、を備え、第１表示処理手段は、該ＷＥＢコンテンツの表示中の所定の番組表操作（例えば、リモコンの「決定」ボタンの押下）をトリガとして、上記識別情報を参照し、該ＷＥＢコンテンツに関連する内容の上記他の番組の番組セルを上記範囲内に含むように上記番組表の表示を更新する。
【０１２５】
上記の構成によれば、上記表示処理装置が上記所定の番組表操作を受け付けた後には、表示中のＷＥＢコンテンツに関連する内容の上記他の番組の番組セルが上記画面に表示されている。
【０１２６】
これにより、上記ＷＥＢコンテンツの内容に興味を持ち、上記他の番組の視聴予約または録画予約を行おうとするユーザは、上記他の番組が放送される時刻およびチャンネルを調べることなく上記所定の番組表操作を行うだけで、上記他の番組の番組セルを容易に探し出すことができる。上記一部の範囲の中から上記他の番組の番組セルを探すだけでよい（番組表全体の中から上記他の番組セルを探し出す必要がない）からである。
【０１２７】
従って、上記表示処理装置は、番組表から番組を選択した場合に表示されるＷＥＢコンテンツに関連する内容の他の番組を、ユーザにあまり手間をかけずに視聴させることができる、という効果を奏する。
【０１２８】
本発明の態様２に係る表示処理装置では、上記態様１において、第１表示処理手段が、上記範囲内に含まれる上記他の番組の番組セルを指し示す位置に上記番組表から番組を選択するためのカーソル（例えば、カーソルＣ１）が表示されるように、上記番組表の表示を更新してもよい。
【０１２９】
上記の構成によれば、上記ユーザは、上記他の番組が放送される時刻およびチャンネルを調べることなく上記所定の番組表操作を行うだけで、上記カーソルを上記他の番組の番組セルを指し示す位置に移動させることができる。
【０１３０】
従って、上記表示処理装置は、上記他の番組を視聴するためにかかる手間を、より一層減らすことができる、という更なる効果を奏する。
【０１３１】
本発明の態様３に係るテレビジョン受像機は、上記態様１または上記態様２に係る表示処理装置が備える各手段を備えている。
【０１３２】
上記の構成によれば、上記テレビジョン受像機は、上記態様１に係る表示処理装置と同様の作用効果を奏する。
【０１３３】
本発明の態様４に係る配信装置（例えば、配信装置２０）は、番組表を配信する機能を備え、上記番組表から番組を選択する操作を受け付けた機器（例えば、テレビ１０）によって表示されるべき、他の番組を宣伝する内容のＷＥＢコンテンツに関し、該ＷＥＢコンテンツの取得先を示す取得先情報（例えば、ＵＲＬ情報）を配信する第１情報配信手段（例えば、変調処理部２０５）と、該ＷＥＢコンテンツが宣伝する他の番組の識別情報（例えば、関連番組情報）を配信する第２情報配信手段（例えば、変調処理部２０５）と、を備えている。
【０１３４】
上記関連番組情報は、本発明の態様１に係る表示処理装置を上述の効果を奏するように機能させるために必要な情報である。
【０１３５】
上記配信装置は、本発明の態様１に係る表示処理装置を上述の効果を奏するように機能させるために必要な情報を配信することができる、という効果を奏する。
【０１３６】
なお、本発明の態様５に係る配信装置では、上記態様４において、第１情報配信手段が、上記番組表に関する情報を含むＳＩ／ＥＰＧ情報の一部として上記取得先情報を配信するように構成され、第２情報配信手段が、上記ＳＩ／ＥＰＧ情報の一部として上記識別情報を配信するように構成されていてもよい。
【０１３７】
本発明の態様６に係るシステムは、上記態様１または上記態様２に係る表示処理装置と、上記態様４または上記態様５に係る配信装置と、を含んでいる。
【０１３８】
上記の構成によれば、上記システムは、上記態様１に係る表示処理装置と同様の作用効果を奏する。
【０１３９】
本発明の態様７に係る表示処理方法は、番組表の一部の範囲を画面に表示する第１表示処理ステップと、上記番組表から番組が選択された場合に表示すべき、他の番組を宣伝する内容のＷＥＢコンテンツに関し、該ＷＥＢコンテンツの取得先を示す取得先情報と該ＷＥＢコンテンツが宣伝する他の番組の識別情報とを取得する取得ステップと、上記取得先情報が示す取得先から取得した上記ＷＥＢコンテンツを上記画面に表示する第２表示処理ステップと、を含み、第１表示処理ステップにて、該ＷＥＢコンテンツの表示中の所定の番組表操作をトリガとして、上記識別情報を参照し、該ＷＥＢコンテンツに関連する内容の上記他の番組の番組セルを上記範囲内に含むように上記番組表の表示を更新する。
【０１４０】
上記の構成によれば、上記表示処理方法は、本発明の態様１に係る表示処理装置と同様の作用効果を奏する。
【０１４１】
本発明の態様８に係る配信方法は、番組表を配信する機能を備えた配信装置の配信方法であって、上記番組表から番組を選択する操作を受け付けた機器によって表示されるべき、他の番組を宣伝する内容のＷＥＢコンテンツに関し、該ＷＥＢコンテンツの取得先を示す取得先情報を配信する第１情報配信ステップと、該ＷＥＢコンテンツが宣伝する他の番組の識別情報を配信する第２情報配信ステップと、を含んでいる。
【０１４２】
上記の構成によれば、上記配信方法は、本発明の態様４に係る配信装置と同様の作用効果を奏する。
【０１４３】
本発明の各態様に係る表示処理装置は、コンピュータによって実現してもよく、この場合には、コンピュータを上記表示処理装置が備える各手段として動作させることにより上記表示処理装置をコンピュータにて実現させるプログラム、およびそれを記録したコンピュータ読み取り可能な記録媒体も、本発明の範疇に入る。
【０１４４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１４５】
本発明は、番組表を外部または内部の表示画面に表示することのできる表示処理装置（テレビジョン受像機、携帯電話、スマートフォン、タブレット端末、パーソナルコンピュータ、及び、カーナビゲーションシステムなど）に、好適に適用することができる。
【符号の説明】
【０１４６】
１      システム
１０      テレビ（表示処理装置、テレビジョン受像機）
１１      情報取得部（取得手段）
１２      コンテンツ取得部（予約処理手段）
１３      表示処理部（第１表示処理手段、第２表示処理手段、予約処理手段）
２０      配信装置
２０２    ＳＩ／ＥＰＧ生成部
２０５    変調処理部（第１配信手段、第２配信手段）
２０６    送信部
【図１】
0006309416.tif 000002
【図２】
0006309416.tif 000003
【図３】
0006309416.tif 000004
【図４】
0006309416.tif 000005
【図５】
0006309416.tif 000006
【図６】
0006309416.tif 000007
【図７】
0006309416.tif 000008
【図８】
0006309416.tif 000009
【図９】
0006309416.tif 000010